(57)【要約】【課題】第１及び第２画面とで全ての項目を表示させる構成において、第１画面でも項目の一部を一度に表示する場合に比べ、第１画面における視認性を向上させる。【解決手段】（Ａ）に示すように、第１タブ３Ａにおける設定項目は、記憶部の設定項目記憶領域におけるアドレスＡ１〜Ａ７に記憶されている。（Ｂ）に示すように、アドレスＡ１〜Ａ７に対応して第１タブ３Ａにおける設定項目が表示部に表示される領域が定まっている。（Ｃ）に示すように、アドレスＢ１〜Ｂ１３の内、上位であるアドレスＢ８〜Ｂ１３には、第１タブ３Ａにおける設定項目＃１〜＃６が格納され、下位のアドレスＢ１〜Ｂ７には、設定項目＃７〜＃１３が格納されている。（Ｄ）に示すように、表示部１０７には、アドレスＢ１〜Ｂ６の設定項目＃７〜＃１２の部分が表示され、アドレスＢ７〜Ｂ１３の設定項目＃１３、＃２、＃５、＃３、＃６、＃１、＃４はスクロールすることで表示される。【選択図】図１１
2015036971.tif 000002
【特許請求の範囲】
【請求項１】
画像形成のための所定の処理を実行する処理手段と、
前記処理手段の処理条件を設定する項目をＱ個表示する第１画面と当該Ｑ個よりも多いＲ個の項目を表示する第２画面とを表示する表示手段と、を有し、
前記第１及び第２画面とで前記処理条件の全ての項目を設定でき、
前記第１画面はＱ個全てを一度に表示し、前記第２画面はＲ個の一部を一度に表示し残りを画像の移動により表示することを特徴とする画像形成装置。
【請求項２】
前記第１画面に表示される項目は、前記第２画面に表示する項目に比べて大きく表示することを特徴とする請求項１に記載の画像形成装置。
【請求項３】
前記第２画面に表示する項目は、前記第１画面に表示する項目を除く項目が、優先的に表示する位置に配置することを特徴とする請求項１に記載の画像形成装置。
【請求項４】
前記第２画面に表示する項目の内、前記第１画面に表示する項目に含まれない項目を当該第１画面に表示するよう選択させる選択手段と、
選択された前記項目を前記第１画面に表示するように当該第１画面を変更する変更手段と
をさらに備えることを特徴とする請求項１に記載の画像形成装置。
【請求項５】
前記変更手段は、前記第１画面を変更する際に、前記Ｑ個の数が予め定められた数以上である場合は、選択された前記項目と当該第１画面に表示していたＱ個の項目の一つとを入れ替えることを特徴とする請求項４に記載の画像形成装置。
【請求項６】
前記項目に対して優先度を設定する優先度設定手段をさらに備え、
前記変更手段が前記第１画面を変更する際に、選択された前記項目と入れ替えられる前記第１画面に表示していた項目は、前記優先度が低いものであることを特徴とする請求項５に記載の画像形成装置。
【請求項７】
前記第１画面は、読み取られた画像データの保存先を選択する際に用いられる選択用画像を含むことを特徴とする請求項１に記載の画像形成装置。
【請求項８】
所定の処理を実行する処理手段と、
前記処理手段の処理条件を設定する項目をＱ個表示する第１画面と当該Ｑ個よりも多いＲ個の項目を表示する第２画面とを表示する表示手段と、を有し、
前記第１及び第２画面とで前記処理条件の全ての項目を設定でき、
前記第１画面はＱ個全てを一度に表示し、前記第２画面はＲ個の一部を一度に表示し残りを画像の移動により表示することを特徴とする処理装置。
【請求項９】
前記第１画面に表示される項目は、前記第２画面に表示する項目に比べて大きく表示することを特徴とする請求項８に記載の処理装置。
【請求項１０】
前記第２画面に表示する項目は、前記第１画面に表示する項目を除く項目が、優先的に表示する位置に配置することを特徴とする請求項８に記載の処理装置。
【請求項１１】
前記第２画面に表示する項目の内、前記第１画面に表示する項目に含まれない項目を当該第１画面に表示するよう選択させる選択手段と、
選択された前記項目を前記第１画面に表示するように当該第１画面を変更する変更手段と
をさらに備えることを特徴とする請求項８に記載の処理装置。
【請求項１２】
前記変更手段は、前記第１画面を変更する際に、前記Ｑ個の数が予め定められた数以上である場合は、選択された前記項目と当該第１画面に表示していたＱ個の項目の一つとを入れ替えることを特徴とする請求項１１に記載の処理装置。
【請求項１３】
前記項目に対して優先度を設定する優先度設定手段をさらに備え、
前記変更手段が前記第１画面を変更する際に、選択された前記項目と入れ替えられる前記第１画面に表示していた項目は、前記優先度が低いものであることを特徴とする請求項１２に記載の処理装置。
【請求項１４】
コンピュータに、
所定の処理を実行する処理機能と、
前記処理機能の処理条件を設定する項目をＱ個表示する第１画面と当該Ｑ個よりも多いＲ個の項目を表示する第２画面とを表示する表示機能と、を実現させ、
前記第１及び第２画面とで前記処理条件の全ての項目を設定でき、
前記第１画面はＱ個全てを一度に表示し、前記第２画面はＲ個の一部を一度に表示し残りを画像の移動により表示することを特徴とするプログラム。
【発明の詳細な説明】
【技術分野】
【０００１】
本発明は、画像形成装置、処理装置及びプログラムに関する。
【背景技術】
【０００２】
特許文献１には、電子機器を操作するためのグラフィカルユーザインタフェースを作成する操作画面生成方法であって、階層構造をなす前記グラフィカルユーザインタフェースを構成する各要素配置部品に前記階層構造を特定する階層情報を定義付け、前記要素配置部品に定義付けられた前記階層情報と、電子機器を操作する各操作メニュー項目を区別する属性情報とを照合することで、前記操作メニュー項目を対応させる前記要素配置部品を特定し、この特定した前記要素配置部品に、前記操作メニュー項目に対応する操作部品を配置する操作画面生成方法が記載されている。
【先行技術文献】
【特許文献】
【０００３】
【特許文献１】特開２００８−３６４９号公報
【発明の概要】
【発明が解決しようとする課題】
【０００４】
第１及び第２画面とで全ての項目を表示させる構成において、第１画面でも項目の一部を一度に表示する場合に比べ、第１画面における視認性を向上させることを目的とする。
【課題を解決するための手段】
【０００５】
請求項１に記載の発明は、画像形成のための所定の処理を実行する処理手段と、前記処理手段の処理条件を設定する項目をＱ個表示する第１画面と当該Ｑ個よりも多いＲ個の項目を表示する第２画面とを表示する表示手段と、を有し、前記第１及び第２画面とで前記処理条件の全ての項目を設定でき、前記第１画面はＱ個全てを一度に表示し、前記第２画面はＲ個の一部を一度に表示し残りを画像の移動により表示することを特徴とする画像形成装置である。
請求項２に記載の発明は、前記第１画面に表示する項目は、前記第２画面に表示する項目に比べて大きく表示することを特徴とする請求項１に記載の画像形成装置である。
請求項３に記載の発明は、前記第２画面に表示する項目は、前記第１画面に表示する項目を除く項目が、優先的に表示する位置に配置することを特徴とする請求項１に記載の画像形成装置である。
請求項４に記載の発明は、前記第２画面に表示する項目の内、前記第１画面に表示する項目に含まれない項目を当該第１画面に表示するよう選択させる選択手段と、選択された前記項目を前記第１画面に表示するように当該第１画面を変更する変更手段とをさらに備えることを特徴とする請求項１に記載の画像形成装置である。
請求項５に記載の発明は、前記変更手段は、前記第１画面を変更する際に、前記Ｑ個の数が予め定められた数以上である場合は、選択された前記項目と当該第１画面に表示していたＱ個の項目の一つとを入れ替えることを特徴とする請求項４に記載の画像形成装置である。
請求項６に記載の発明は、前記項目に対して優先度を設定する優先度設定手段をさらに備え、前記変更手段が前記第１画面を変更する際に、選択された前記項目と入れ替えられる前記第１画面に表示していた項目は、前記優先度が低いものであることを特徴とする請求項５に記載の画像形成装置である。
請求項７に記載の発明は、前記第１画面は、読み取られた画像データの保存先を選択する際に用いられる選択用画像を含むことを特徴とする請求項１に記載の画像形成装置である。
請求項８に記載の発明は、所定の処理を実行する処理手段と、前記処理手段の処理条件を設定する項目をＱ個表示する第１画面と当該Ｑ個よりも多いＲ個の項目を表示する第２画面とを表示する表示手段と、を有し、前記第１及び第２画面とで前記処理条件の全ての項目を設定でき、前記第１画面はＱ個全てを一度に表示し、前記第２画面はＲ個の一部を一度に表示し残りを画像の移動により表示することを特徴とする処理装置である。
請求項９に記載の発明は、前記第１画面に表示される項目は、前記第２画面に表示する項目に比べて大きく表示することを特徴とする請求項８に記載の処理装置である。
請求項１０に記載の発明は、前記第２画面に表示する項目は、前記第１画面に表示する項目を除く項目が、優先的に表示する位置に配置することを特徴とする請求項８に記載の処理装置である。
請求項１１に記載の発明は、前記第２画面に表示する項目の内、前記第１画面に表示する項目に含まれない項目を当該第１画面に表示するよう選択させる選択手段と、選択された前記項目を前記第１画面に表示するように当該第１画面を変更する変更手段とをさらに備えることを特徴とする請求項８に記載の処理装置である。
請求項１２に記載の発明は、前記変更手段は、前記第１画面を変更する際に、前記Ｑ個の数が予め定められた数以上である場合は、選択された前記項目と当該第１画面に表示していたＱ個の項目の一つとを入れ替えることを特徴とする請求項１１に記載の処理装置である。
請求項１３に記載の発明は、前記項目に対して優先度を設定する優先度設定手段をさらに備え、前記変更手段が前記第１画面を変更する際に、選択された前記項目と入れ替えられる前記第１画面に表示していた項目は、前記優先度が低いものであることを特徴とする請求項１２に記載の処理装置である。
請求項１４に記載の発明は、コンピュータに、所定の処理を実行する処理機能と、前記処理機能の処理条件を設定する項目をＱ個表示する第１画面と当該Ｑ個よりも多いＲ個の項目を表示する第２画面とを表示する表示機能と、を実現させ、前記第１及び第２画面とで前記処理条件の全ての項目を設定でき、前記第１画面はＱ個全てを一度に表示し、前記第２画面はＲ個の一部を一度に表示し残りを画像の移動により表示することを特徴とするプログラムである。
【発明の効果】
【０００６】
請求項１の発明によれば、第１及び第２画面とで全ての項目を表示させる構成において第１画面でも項目の一部を一度に表示する場合に比べ、第１画面における視認性が向上する。
請求項２の発明によれば、第１画面に表示する項目と第２画面に表示する項目との大きさを同じにする場合に比べ、第１画面における視認性が向上する。
請求項３の発明によれば、第１画面で表示する項目を第２画面でも優先的に表示する場合に比べ、第２画面において第１画面で表示しない項目を見つけやすくなる。
請求項４の発明によれば、第１画面に表示する項目を変更することができる。
請求項５の発明によれば、第１画面に表示する項目数に上限を設けない場合に比べ、第１画面における視認性の低下を抑制することができる。
請求項６の発明によれば、第１画面に表示される項目に優先度を設定しない場合に比べ、優先度の高い項目が入れ替わることを抑制することができる。
請求項７の発明によれば、本構成を備えない場合に比べ、第１画面に複数の処理に対する項目を表示できる。
請求項８の発明によれば、第１及び第２画面とで全ての項目を表示させる構成において第１画面でも項目の一部を一度に表示する場合に比べ、第１画面における視認性が向上する。
請求項９の発明によれば、第１画面に表示する項目と第２画面に表示する項目との大きさを同じにする場合に比べ、第１画面における視認性が向上する。
請求項１０の発明によれば、第１画面で表示する項目を第２画面でも優先的に表示する場合に比べ、第２画面において第１画面で表示しない項目を見つけやすくなる。
請求項１１の発明によれば、第１画面に表示する項目を変更することができる。
請求項１２の発明によれば、第１画面に表示する項目数に上限を設けない場合に比べ、第１画面における視認性の低下を抑制することができる。
請求項１３の発明によれば、第１画面に表示される項目に優先度を設定しない場合に比べ、優先度の高い項目が入れ替わることを抑制することができる。
請求項１４の発明によれば、第１及び第２画面とで全ての項目を表示させる構成において第１画面でも項目の一部を一度に表示する場合に比べ、第１画面における視認性が向上する。
【図面の簡単な説明】
【０００７】
【図１】本発明の実施形態に係る画像形成装置のハードウェア構成を例示したブロック図である。
【図２】表示部における表示例を示した図である。
【図３】図２にて示した「コピー」の選択用ボタンがユーザにより選択された後の表示画面を示した図である。
【図４】表示部における表示例を示した図である。
【図５】図２にて示したホーム画面上の「ボックス保存」が選択された際の表示画面を示した図である。
【図６】第２タブが選択された際の表示画面を示した図である。
【図７】「個人プリント」が選択された後の表示画面を示した図である。
【図８】ファイルが選択された後の表示画面を示した図である。
【図９】ワンタッチ選択用ボタンをユーザが作成する際の表示画面を示した図である。
【図１０】ワンタッチ選択用ボタンの一覧を示した図である。
【図１１】記憶部の予め設定された設定項目記憶領域に格納された第１タブにおける設定項目及び第２タブにおける設定項目と、表示部に表示された第１タブにおける設定項目及び第２タブにおける設定項目との関係の一例を示す図である。（Ａ）は、記憶部の設定項目記憶領域に格納された第１タブにおける設定項目、（Ｂ）は、表示部に表示された第１タブにおける設定項目、（Ｃ）は、設定項目記憶領域に格納された第２タブにおける設定項目、（Ｄ）は、表示部に表示される第２タブにおける設定項目である。
【図１２】変更された後における記憶部の設定項目記憶領域に格納された第１タブにおける設定項目及び第２タブにおける設定項目と、表示部に表示された第１タブにおける設定項目及び第２タブにおける設定項目との関係の一例を示す図である。（Ａ）は、記憶部の設定項目記憶領域に格納された第１タブにおける設定項目、（Ｂ）は、表示部に表示された第１タブにおける設定項目、（Ｃ）は、設定項目記憶領域に格納された第２タブにおける設定項目、（Ｄ）は、表示部に表示される第２タブにおける設定項目である。
【図１３】記憶部の設定項目記憶領域に格納された第１タブにおける設定項目及び第２タブにおける設定項目と、表示部に表示された第１タブにおける設定項目及び第２タブにおける設定項目との関係の他の一例を示す図である。（Ａ）は、記憶部の設定項目記憶領域に格納された第１タブにおける設定項目、（Ｂ）は、表示部に表示された第１タブにおける設定項目、（Ｃ）は、設定項目記憶領域に格納された第２タブにおける設定項目、（Ｄ）は、表示部に表示される第２タブにおける設定項目である。
【図１４】第１タブ及び第２タブのそれぞれの表示画面において表示される設定項目を変更する方法を説明するフローチャートである。
【図１５】第２タブの表示画面における設定項目の表示順を変更する方法を説明するフローチャートである。
【図１６】記憶部の設定項目記憶領域に格納された第１タブにおける設定項目及び第２タブにおける設定項目と、表示部に表示された第１タブにおける設定項目及び第２タブにおける設定項目との関係のさらに他の一例を示す図である。（Ａ）は、記憶部の設定項目記憶領域に格納された第１タブにおける設定項目、（Ｂ）は、表示部に表示された第１タブにおける設定項目、（Ｃ）は、設定項目記憶領域に格納された第２タブにおける設定項目、（Ｄ）は、表示部に表示される第２タブにおける設定項目である。
【図１７】変更された後における記憶部の設定項目記憶領域に格納された第１タブにおける設定項目及び第２タブにおける設定項目と、表示部に表示された第１タブにおける設定項目及び第２タブにおける設定項目との関係の一例を示す図である。（Ａ）は、記憶部の設定項目記憶領域に格納された第１タブにおける設定項目、（Ｂ）は、表示部に表示された第１タブにおける設定項目、（Ｃ）は、設定項目記憶領域に格納された第２タブにおける設定項目、（Ｄ）は、表示部に表示される第２タブにおける設定項目である。
【図１８】記憶部の設定項目記憶領域に格納された第１タブにおける設定項目及び第２タブにおける設定項目と、表示部に表示される第１タブにおける設定項目及び第２タブにおける設定項目との関係のさらに他の一例を示す図である。（Ａ）は、記憶部の設定項目記憶領域に格納された第１タブにおける設定項目、（Ｂ）は、表示部に表示された第１タブにおける設定項目、（Ｃ）は、設定項目記憶領域に格納された第２タブにおける設定項目、（Ｄ）は、表示部に表示される第２タブにおける設定項目である。
【図１９】変更された後における記憶部に設定項目記憶領域に格納された第１タブにおける設定項目及び第２タブにおける設定項目と、表示部に表示された第１タブにおける設定項目及び第２タブにおける設定項目との関係のさらに他の一例を示す図である。（Ａ）は、記憶部の設定項目記憶領域に格納された第１タブにおける設定項目、（Ｂ）は、表示部に表示された第１タブにおける設定項目、（Ｃ）は、設定項目記憶領域に格納された第２タブにおける設定項目、（Ｄ）は、表示部に表示された第２タブにおける設定項目である。
【図２０】第１タブ及び第２タブにおける設定項目を変更する他の方法を説明するフローチャートである。
【発明を実施するための形態】
【０００８】
以下、添付図面を参照して、本発明の実施の形態について説明する。
図１は、本発明の実施形態に係る画像形成装置１０のハードウェア構成を例示したブロック図である。本実施形態の画像形成装置１０には、制御部１００、記憶部１０５、表示部１０７、画像読取部１０８、画像形成部１０９、通信部１１０、画像処理部１１１が設けられている。なお、これらの各機能部は、バス１０１に接続されており、このバス１０１を介してデータの授受を行う。
【０００９】
制御部１００は、画像形成装置１０に設けられた上記各機能部の制御を行う。ここで、制御部１００は、ＣＰＵ（Central Processing Unit）１０２、ＲＯＭ（Read Only Memory）１０３、ＲＡＭ（Random Access Memory）１０４により構成されている。
ＲＯＭ１０３は、ＣＰＵ１０２により実行される制御プログラムを記憶している。ＣＰＵ１０２は、ＲＯＭ１０３に記憶されている制御プログラムを読み出し、ＲＡＭ１０４を作業エリアにして制御プログラムを実行する。ＣＰＵ１０２により制御プログラムが実行されると、画像形成装置１０の各機能部が制御される。これにより、例えば、表示部１０７に予め定められた表示がなされ、また、用紙への画像形成が行われる。また、画像読取部１０８にセットされた原稿の読み取りなどが行われる。
【００１０】
なお、ＣＰＵ１０２によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットなどの通信手段を用いて画像形成装置１０にダウンロードさせてもよい。
【００１１】
表示部１０７は、例えば液晶のタッチパネルディスプレイにより構成され、制御部１００の制御の下、例えば画像形成装置１０に関するデータを表示する。また、表示部１０７は、ユーザからの操作を受け付けるための表示画面を表示し、この表示画面を介し、ユーザからの操作を受け付ける。
画像読取部１０８は、文書を読み取り読み取った文書の画像を表す画像データを生成する画像読取装置（スキャナ装置）を備えており、生成した画像データを画像処理部１１１へ出力する。
【００１２】
画像形成部１０９は、電子写真方式等によって記録媒体である例えば用紙に対して画像データに応じたトナー像を形成する画像形成機構を備えている。
通信部１１０は、不図示の通信回線に接続されており、通信回線に接続されている他の装置と通信を行う通信インターフェースとして機能する。
画像処理部１１１は、入力される画像データに色補正や階調補正等の画像処理を施すものであり、画像処理が施された画像データを生成して画像形成部１０９へ出力する。
記憶部１０５は、ハードディスク装置などの記憶装置を具備しており、例えば通信部１１０で受信したデータや画像形成装置１０で生成されたデータを記憶する。
【００１３】
図２は、表示部１０７における表示例を示した図である。
表示部１０７には、通常、同図に示すホーム画面が表示されている。このホーム画面には、複数の選択用ボタン（アイコン）２１が表示されており、この選択用ボタン２１の何れかがユーザにより選択（押圧）されることで、選択用ボタン２１に関連付けられている機能が実行される。
【００１４】
具体的には、図２に示す例では、選択用ボタン２１として、「コピー」、「ボックス保存」、「ＩＤカードコピー」、「メディアアクセス」、「メール」、「プリント」、「ＰＣ保存」、「ファックス」の何れかを選択するための選択用ボタン２１が表示されている。そして、本実施形態では、この選択用ボタン２１の何れかがユーザにより選択されると、詳細な設定を行うための画面が更に表示される。その後、スタートボタン等の予め定められたボタンがユーザにより押圧されることで、コピーなどの処理が開始される。
【００１５】
なお、本実施形態のホーム画面は、複数のページにより構成されており、図２にて示す表示画面のうちの「地」の部分（背景の部分）を指で押しながら、この「地」の部分を図中左方向に押し出すことで、他のページに切り替わるようになっている。付言すると、本実施形態では、いわゆるフリック操作によって、ページの切り替えを行えるようになっている。なお、ページの切り替えが行われると、他の選択用ボタン２１が現れるようになる。
【００１６】
また、本実施形態の表示部１０７では、選択用ボタン２１の各々を、操作によって移動できるようになっている。具体的には、選択用ボタン２１を指で押した状態で、この指を移動させることで、選択用ボタン２１を移動させることができるようになっている。付言すると、本実施形態では、ドラッグアンドドロップによって、選択用ボタン２１の移動が行われるようになっている。
【００１７】
また、本実施形態では、選択用ボタン２１を予め定められた時間押し続け、あるいは、選択用ボタン２１の何れかが選択されている状態にて、画面の右上に位置する歯車状の記号（符号２Ａで示す記号）を押すと、画面が切り替わり、この選択用ボタン２１に関連づけられている機能の詳細な設定を行えるようになる。
【００１８】
図３は、図２にて示した「コピー」の選択用ボタン２１がユーザにより選択（押圧）された後の表示画面を示した図である。
この表示画面では、符号３Ａ、３Ｂで示すように、２つのタブ（以下、「第１タブ３Ａ」、「第２タブ３Ｂ」と称する）が設けられた構成となっている。このようにタブが２つだけであると、いずれかのタブにはユーザが必要とするボタン（操作しようとするボタン）が存在することになる。すると、一度タブを移動すれば必ず必要とするボタンが存在することとなり、タブが４つ、５つなど３つ以上ある場合に比べ、ユーザは、必要とするボタン（操作しようとするボタン）が存在するタブを選択するまでのタブの移動の回数を減らすことができる。
付言すると、タブが数多くあると、どのタブにどの機能が入っているかを把握しづらくなるが、本実施形態のようにタブが２つだけであると、どのタブにどの機能が入っているかを把握しやすくなる。
【００１９】
ここで、第１タブ３Ａが選択されている状態では、図３に示すように、「両面／片面/製本」、「コピー部数」、「Ｎアップ数（１ページへの集約ページ数）」、「倍率」、「カラーモード」、「用紙選択」、「ホチキス」などの設定項目が表示される。付言すると、本実施形態では、第１タブ３Ａが選択されている際の表示画面では、ユーザによって変更される頻度が相対的に高いと思われる設定項目が表示されるようになっている。
【００２０】
一方で、本実施形態では、変更される頻度が相対的に低いと思われる設定項目については、図４（表示部１０７における表示例を示した図）に示すように、第２タブ３Ｂが選択された際の表示画面にて表示を行う。
ここで、この図４に示す表示画面では、各設定項目（ユーザが設定を行う各項目）が、画面の縦方向に並べられて表示されている。付言すると、リスト形式で表示されている。なお、この図４に示す表示画面では、図中下方向にスクロールすることで、隠れている設定項目も表示されるようになる。
【００２１】
ここで、第２タブ３Ｂが選択された際の表示画面では、一つの方向（図中、下方向）に、スクロールすることで他の設定項目も表示される。これにより、ユーザは、自身が探している設定項目を見つけやすくなる。
ここで、例えば、各設定項目をボタン形式で表示するとともに格子状に並べて配置することも考えられるが、この場合、ユーザは、視線を上下方向のみならず左右方向に移動させる必要が生じる。かかる場合、本実施形態のように一方向にスクロールさせて設定項目を表示する場合に比べ、ユーザは探している設定項目を見つけにくくなる。
【００２２】
図５は、図２にて示したホーム画面上の「ボックス保存」が選択された際の表示画面を示した図である。
ホーム画面上の「ボックス保存」が選択されると、図５に示すように、ユーザ名が付された選択用ボタン２１が複数表示された表示画面に切り替わる。この表示画面では、上記と同様、２つのタブ（以下、「第１タブ５Ａ」、「第２タブ５Ｂ」と称する）が設けられた構成となっている。
【００２３】
なお、図５では、第１タブ５Ａが選択されている状態を示している。また、本実施形態では、「ボックス保存」が選択されて表示画面が切り替わると、まず、第１タブ５Ａが表示されるようになっている。そして、本実施形態では、ユーザにより別途第２タブ５Ｂが選択されることで、第２タブ５Ｂに対応した表示画面が表示される。
【００２４】
ここで、ボックス保存とは、画像読取部１０８（図１参照）を用いて原稿を読み取ることにより生成された画像データを、記憶部１０５に保存する処理をいう。この際、図５にて示されている選択用ボタン２１の何れかがユーザにより選択されることで、保存先が指定され、この保存先に画像データが格納される。
なお、この保存先の選択がなされるまでは、図５にて表示されている各選択用ボタン２１は何れもオフ状態（「地」の色と略同じ色）となっており、保存先の選択がなされると、他の色に切り替わりオン状態となる（選択された状態となる）。
【００２５】
また、図５に示す表示画面では、画面の最下部に、ユーザによって変更される頻度の高い設定項目（「カラーモード」、「原稿の送りモード」、「読み取り解像度」）を表示しており、これらの設定項目については、画面の切り替えを行わずに（第２タブ５Ｂを選択せずに）、その内容を変更できるようになっている。
【００２６】
図６は、第２タブ５Ｂが選択された際の表示画面を示した図である。
図６（Ａ）に示すように、第２タブ５Ｂが選択された場合には、ボックス保存に際して設定可能な他の設定項目が表示される。なお、この場合も、上記と同様の各々の設定項目はリスト形式で表示される。ここで、本実施形態では、画像読取部１０８にて読み取りを行う原稿毎に、ファイル名を付けられるようになっている。また、本実施形態では、図６（Ａ）における「ファイル名」の設定項目が選択されると、同図（Ｂ）に示すように、ファイル名入力用の表示画面が表示される。本実施形態では、この表示画面を介し、ユーザは、希望するファイル名を入力する。
【００２７】
次に、個人プリントについて説明する。
個人プリントでは、ユーザが有するＰＣ（Personal Computer）などにて生成された画像データが、画像形成装置１０に送信され、そして、画像形成装置１０の記憶部１０５（図１参照）に一旦記憶される。そして、ユーザが表示部１０７を介して開始指示を入力することで、用紙への画像形成が開始される。
個人プリントでは、ユーザが画像形成装置１０の傍にいる状態にて画像形成がなされるため、ユーザは、印刷物が印刷された直後にこの印刷物を取得できるようになる。かかる場合、このユーザ以外の他の者が、この印刷物を取得することが起きにくくなる。
【００２８】
ここで、個人プリントが行われる際には、図２にて示したホーム画面が操作され、「個人プリント」の選択用ボタン（図２では不図示）がユーザにより選択される。そして、この「個人プリント」の選択用ボタンが選択されると、図７（「個人プリント」が選択された後の表示画面を示した図）に示す表示画面に切り替わる。
【００２９】
ここで、図７にて示す、切り替え後の表示画面では、記憶部１０５に記録されている複数の画像データ（印刷ジョブ）のファイル名がリスト形式で表示される。付言すると、縦方向に並べられた状態で、ファイル名の各々が表示される。また、ファイル名の図中左横には、印刷後の用紙の状態を示すプレビュー画面が表示される。
【００３０】
ここで、図７にて示した複数のファイルのうちの一つが選択されると、図８（ファイルが選択された後の表示画面を示した図）に示す画面に切り替わる。ここで、この表示画面では、画面の下半分に、設定項目が表示される。具体的には、この例では、「プリント部数」、「カラーモード」、「両面印刷の有無」の３つの設定項目が表示される。
【００３１】
さらに、表示画面の右上にはファイル名が表示され、表示画面の左上には印刷後の用紙の状態を示すプレビュー画面が表示される。なお、本実施形態では、この図８に示す表示画面にて、上記３つの設定項目の各々を変更できるようになっているとともに、変更を行うと、この変更に応じて、プレビュー画面も変化する。すなわち、本実施形態では、設定項目の変更に応じて、プレビュー画面が動的に変化する。
【００３２】
ここで、本実施形態では、このように、ファイルがリスト形式で表示され、次いで、ユーザが印刷を希望するファイルを選択する。そして、この選ばれたファイルについて印刷がなされる。
【００３３】
なお、図示は省略するが、本実施形態では、「個人一括プリント」という選択用ボタン２１もホーム画面上に用意されており、この選択用ボタン２１が押圧されると、ワンタッチで（他の入力操作を行わずに）、未出力の蓄積文書が一括で印刷される。付言すると、本実施形態では、個人プリントに関し、「個人プリント（リスト表示）」、「個人一括プリント」の２種類の選択用ボタン２１が用意された形となっている。
【００３４】
ところで、本実施形態の画像形成装置１０では、既に用意されている選択用ボタン２１の他に、新たな選択用ボタン２１をユーザが作成できるようになっている。付言すると、本実施形態では、選択用ボタン２１の選択を１回行うことで（複数回の入力操作を行わずに１回の入力操作を行うことで）、処理が開始される選択用ボタン２１（以下、「ワンタッチ選択用ボタン２１」と称する）を作成できるようになっている。なお、上記「個人一括プリント」の選択用ボタン２１は、このワンタッチ選択用ボタン２１に該当する。
【００３５】
ここで、ワンタッチ選択用ボタン２１をユーザが作成する際には、図９（ワンタッチ選択用ボタン２１をユーザが作成する際の表示画面を示した図）の（Ａ）にて、図中右上に位置する歯車状の記号（符号９Ａで示す記号）がユーザにより押圧される。なお、図９（Ａ）に示す表示画面は、メール送信時の画面を表示している。付言すると、図９（Ａ）では、図２にて示す「メール」の選択用ボタン２１が選択されて表示画面が切り替わった後の状態を示している。
【００３６】
ここで、歯車状の上記記号が押圧されると、図９（Ｂ）に示す表示画面が表示される。ここで、この表示画面では、ワンタッチ選択用ボタン２１の作成にあたって必要となる情報がユーザにより入力される。具体的には、名前（１行目）、名前（２行目）がユーザにより入力される。ここで、本実施形態のワンタッチ選択用ボタン２１（作成後のワンタッチ選択用ボタン２１）では、名前が２段で表示される。「名前（１行目）」は、２段のうちの上段に表示される名前を示し、「名前（２行目）」は、２段のうちの下段に表示される名前を示している。
【００３７】
さらに、図９（Ｂ）に示す表示画面では、ワンタッチ選択用ボタン２１（アイコン）の図柄の変更が行われる際にユーザによって押圧されるボタン（符号９Ｂ参照）も表示される。このボタンがユーザにより押圧されると、図１０（ワンタッチ選択用ボタン２１の一覧を示した図）に示す画面が表示され、ユーザが、この画面から一つのワンタッチ選択用ボタン２１を選ぶことで、この一つのワンタッチ選択用ボタン２１が新たなワンタッチ選択用ボタン２１として登録される。また、本実施形態では、ユーザは、説明文を登録できるようになっており、説明文の登録を行いたいユーザは、表示画面（図９（Ｂ）にて示す表示画面）の下部に位置するボックス内に、説明文を入力する。
【００３８】
ここで、図９（Ｂ）に示す表示画面に対するユーザの入力が終了すると、図中右上に位置する「作成」というボタンがユーザにより押圧される。これにより、図９（Ｃ）に示す表示画面に表示が切り替わり、表示画面上に（ホーム画面上に）、「ワンタッチメール送信」というワンタッチ選択用ボタン２１が追加されるようになる。
【００３９】
なお、ここでは、ワンタッチ選択用ボタン２１を作成する際の処理を説明したが、本実施形態では、ユーザは、選択用ボタン２１を選択後、確認画面を表示させ、スタートボタンを入力することで処理を実行させる選択用ボタン２１も作成できるようになっている。なお、ワンタッチ選択用ボタン２１と、通常の選択用ボタン２１とは、表示画面上で見分けることができるようになっており、ワンタッチ選択用ボタン２１には、図９（Ｃ）の符号９Ｅに示すように、菱形のマークが付加される。なお、本実施形態において、上記確認画面を表示させた後に処理を実行させるためのスタートボタンは、表示画面上ではなく、図示しない画像形成装置の他の箇所に配置させている。
【００４０】
なお、上記では、画像形成装置１０における表示処理について説明したが、この表示処理は、画像形成装置１０以外の装置（例えばタブレット端末などの装置）でも同様に行うことができる。
【００４１】
以下では、処理装置及び処理手段の一例としての画像形成装置１０において、図２にて処理の一例としての「コピー」の選択用ボタン２１がユーザ（使用者）によって選択（押圧）された後の表示画面である図３、図４を例として、第１タブ３Ａが選択されている状態において表示画面に表示される設定項目（図３）及び第２タブ３Ｂが選択されている状態において表示画面に表示される設定項目（図４）を配置する方法について説明する。
ここでは、第１タブ３Ａが選択されている状態における表示画面を第１画面の一例としての「第１タブ３Ａの表示画面」、表示される設定項目を「第１タブ３Ａにおける設定項目」、第２タブ３Ｂが選択されている状態における表示画面を第２画面の一例としての「第２タブ３Ｂの表示画面」、表示される設定項目を「第２タブ３Ｂにおける設定項目」と表記する。
なお、表示画面は、設定項目が配置された画面であって、表示手段及び選択手段の一例としての表示部１０７に表示される部分及び表示されていない部分を含む全体の画面をいう。なお、表示されていない部分を含まない場合もある。
そして、表示部１０７に表示された設定項目は、選択用ボタン２１を兼ねていて、ユーザによって選択（押圧）されることで、設定項目に対応する処理の条件が変えられるとする。
【００４２】
ここでは、第１タブ３Ａにおける設定項目は、ユーザによって変更される頻度が高い設定項目（主要な設定項目）であって、第２タブ３Ｂにおける設定項目は、第１タブ３Ａにおける設定項目を含むすべての設定項目であるとする。そこで、第１タブ３Ａにおける設定項目は、表示部１０７において、それぞれが占める面積を大きく取り、視認しやすく且つタッチなどにより操作しやすいように表示される。そして、スクロールすることなく設定項目が表示される。
一方、第２タブ３Ｂにおける設定項目は、表示部１０７において、例えばリストで表示され、隠れている部分はスクロールすることで表示される。このとき、第１タブ３Ａにおける設定項目は、第１タブ３Ａの表示画面から第２タブ３Ｂの表示画面に切り替えられた際に第１タブ３Ａに設定されている設定項目以外が表示される。言い換えると、第１タブ３Ａにおける設定項目は、第１タブ３Ａの表示画面から第２タブ３Ｂの表示画面に切り替えられた際には視認できない位置に配置されている。第１タブ３Ａにおける設定項目は、第１タブ３Ａの表示画面から第２タブ３Ｂの表示画面に切り替えられた際に第１タブ３Ａに設定されている設定項目が表示される場合に比べ、第１タブ３Ａの表示画面とスクロール前の第２タブ３Ｂの表示画面とでより多くの設定項目が表示される。よって、第２タブ３Ｂの表示画面において、第１タブ３Ａにおける設定項目は、表示部１０７において隠れる位置に設けられ、スクロールにより表示されるようにしておくのが好ましい。
ここでは、本発明における「優先的に表示」の一例として、切り替え当初の表示画面に表示されることを挙げたが、「優先的に表示」はこれに限られず、表示順や表示される項目の大きさ、色など、相対的に表示に強弱がつくものであればどのようなものでも構わない。
【００４３】
しかし、変更される頻度が高い設定項目はユーザにより異なることがあり、ジョブによっても異なることがある。
そこで、本実施形態では、第１タブ３Ａにおける設定項目を、ユーザの指示により変更できるようになっている。
【００４４】
なお、表示部１０７において、第１タブ３Ａにおける設定項目を配置する領域を、配置する設定項目の数に応じて変更することも考えられる。しかし、設定項目が多くなると、１つの設定項目を配置する領域の面積が小さくなり、視認性及び操作性が損なわれる。よって、第１タブ３Ａの表示画面では、配置する設定項目の数に上限値Ｓ（Ｓは１以上且つＰ未満の整数）を設けることが好ましい。
【００４５】
図１１は、記憶部１０５の予め設定された設定項目記憶領域に格納された第１タブ３Ａにおける設定項目及び第２タブ３Ｂにおける設定項目と、表示部１０７に表示された第１タブ３Ａにおける設定項目及び第２タブ３Ｂにおける設定項目との関係の一例を示す図である。図１１（Ａ）は、記憶部１０５の設定項目記憶領域に格納された第１タブ３Ａにおける設定項目、図１１（Ｂ）は、表示部１０７に表示された第１タブ３Ａにおける設定項目、図１１（Ｃ）は、設定項目記憶領域に格納された第２タブ３Ｂにおける設定項目、図１１（Ｄ）は、表示部１０７に表示される第２タブ３Ｂにおける設定項目である。
なお、ここでは、設定項目記憶領域は、記憶手段の一例としての記憶部１０５に設けられているとするが、画像形成装置１０が起動された際に、記憶部１０５から読み出されてＲＡＭ１０４に設けられているとしてもよい。そして、設定項目記憶領域に格納された設定項目がＣＰＵ１０２によって読み出され、第１タブ３Ａの表示画面及び第２タブ３Ｂの表示画面が作成されて、表示部１０７に表示される。他の場合においても同様である。
【００４６】
ここでは、「コピー」を例として、設定項目が全てで１３個（＃１〜＃１３）（Ｐ個：Ｐは２以上の整数）であるとする。例えば、設定項目＃１は「両面／片面/製本」（優先度５）、設定項目＃２は「コピー部数」（優先度１）、設定項目＃３は「Ｎアップ数（１ページへの集約ページ数）（図１２では「まとめて１枚（Ｎアップ）」と表記する。以下同じ。）」（優先度３）、設定項目＃４は「倍率」（優先度６）、設定項目＃５は「カラーモード」（優先度２）、設定項目＃６は「用紙選択」（優先度４）、設定項目＃７は「原稿セット向き指定」（優先度７）、設定項目＃８は「濃度」（優先度１１）、設定項目＃９は「原稿の種類」（優先度８）、設定項目＃１０は「地色除去」（優先度１２）、設定項目＃１１は「ミックスサイズ原稿送り」（優先度９）、設定項目＃１２は「スタンプ」（優先度１３）、設定項目＃１３は「ホチキス」（優先度１０）であるとする。以下では、設定項目＃１〜＃１３で説明する。なお、設定項目＃１〜＃１３には優先度が設定されている。
ここでは、優先度は、数字が小さいほど高いとする。
優先度については、後述する。
【００４７】
図１１（Ａ）に示すように、第１タブ３Ａにおける設定項目は、記憶部１０５の設定項目記憶領域におけるアドレスＡ１〜Ａ７に記憶されている。すなわち、第１タブ３Ａにおける設定項目の上限値Ｓ（最大値）は７個であるとする。
そして、図１１（Ａ）に示すように、アドレスＡ１〜Ａ６に設定項目＃１〜＃６が格納されている。なお、アドレスＡ１〜Ａ６に格納された設定項目は、優先度の順でなくともよいとする。
そして、図１１（Ｂ）に示すように、アドレスＡ１〜Ａ７に対応して、第１タブ３Ａにおける設定項目が表示部１０７に表示される領域が定まっている。第１タブ３Ａの表示画面の設定項目も７個である。しかし、図１１（Ａ）に示したように、アドレスＡ７には、設定項目が格納されていないため、表示部１０７にはアドレスＡ１〜Ａ６に格納された設定項目＃１〜＃６の６個（Ｑ個：Ｑは１以上且つＰ未満の整数）が表示される。
【００４８】
一方、第２タブ３Ｂにおける設定項目は、記憶部１０５の設定項目記憶領域のアドレスＢ１〜Ｂ１３に記憶される。第２タブ３Ｂにおける設定項目は、第１タブ３Ａにおける設定項目を含むすべての設定項目＃１〜＃１３の１３個（Ｒ個：Ｒは１以上且つＰ以下であって、Ｑより大きい整数）である。
【００４９】
図１１（Ｃ）に示すように、アドレスＢ１〜Ｂ１３の内、上位であるアドレスＢ８〜Ｂ１３には、第１タブ３Ａにおける設定項目＃１〜＃６が格納されている。設定項目＃１〜＃６は、優先度順にソートされ、設定項目＃２、＃５、＃３、＃６、＃１、＃４の順に格納されている。なお、アドレスＢ８〜Ｂ１３に格納される設定項目＃１〜＃６は優先度の逆順に格納されていてもよい。
また、下位のアドレスＢ１〜Ｂ７には、すべての設定項目の内、第１タブ３Ａにおける設定項目＃１〜＃６を除く、設定項目＃７〜＃１３が格納されている。これらについては、優先度は重要でなく、必ずしも優先度の順に並ばなくともよい。
そして、図１１（Ｄ）に示すように、表示部１０７には、アドレスＢ１〜Ｂ６の設定項目＃７〜＃１２の部分が表示され、アドレスＢ７〜Ｂ１３の設定項目＃１３、＃２、＃５、＃３、＃６、＃１、＃４はスクロールすることで表示される。
【００５０】
ここで、第２タブ３Ｂにおける設定項目＃８（「濃度」）を、第１タブ３Ａの設定項目とするように変更することを考える。
このとき、ユーザは、第２タブ３Ｂの表示画面において、設定項目＃８を指などで選択して、第１タブ３Ａにドラッグアンドドロップする。
すると、設定項目＃８は、空欄であったアドレスＡ７にコピーされるように、第１タブ３Ａにおける設定項目＃１〜＃６、＃８を配列した第１データが作成される。そして、この第１データがアドレスＡ１〜Ａ７に格納され、第１タブ３Ａの表示画面が作成される。そして、表示部１０７には、設定項目＃１〜＃６、＃８が表示される（後述する図１２（Ａ）、（Ｂ）参照）。
【００５１】
さらに、第１タブ３Ａにおける設定項目＃１〜＃６、＃８が並べられた第１データが優先度に基づいてソートされ、優先度の順に並べられた第２データが作成される。さらに、すべての設定項目から第１タブ３Ａにおける設定項目＃１〜＃６、＃８を除いた設定項目＃７、＃９〜＃１３が並べられた第３データが作成される。
そして、第３データと第３データに続いて第２データが並べられた第４データが形成され、この第４データがアドレスＢ１〜Ｂ１３に格納され、第２タブ３Ｂの表示画面が作成される。そして、表示部１０７には、設定項目＃７、＃９〜＃１３、＃１〜＃６、＃８が表示される（後述する図１２（Ｃ）、（Ｄ）参照）。
【００５２】
上記の例では、アドレスＢ１〜Ｂ７において、アドレスＢ２に格納されていた設定項目＃８が抜けるので、アドレスＢ３〜Ｂ７に格納されていた設定項目＃９〜＃１３がそれぞれ繰り上がってアドレスＢ２〜Ｂ６に格納される。そして、設定項目＃８の優先度は「１１」であるので、アドレスＢ８〜Ｂ１３に格納されていた設定項目＃１〜＃６のいずれの優先順より低い。よって、アドレスＢ８〜Ｂ１３に格納されていた設定項目＃２、＃５、＃３、＃６、＃１、＃４の後に設定項目＃８が並び、それぞれがアドレスＢ７〜Ｂ１３に格納される。
【００５３】
図１２は、変更された後における記憶部１０５の設定項目記憶領域に格納された第１タブ３Ａにおける設定項目及び第２タブ３Ｂにおける設定項目と、表示部１０７に表示された第１タブ３Ａにおける設定項目及び第２タブ３Ｂにおける設定項目との関係の一例を示す図である。図１２（Ａ）は、記憶部１０５の設定項目記憶領域に格納された第１タブ３Ａにおける設定項目、図１２（Ｂ）は、表示部１０７に表示された第１タブ３Ａにおける設定項目、図１２（Ｃ）は、設定項目記憶領域に格納された第２タブ３Ｂにおける設定項目、図１２（Ｄ）は、表示部１０７に表示される第２タブ３Ｂにおける設定項目である。
【００５４】
図１２（Ａ）に示すように、アドレスＡ１〜Ａ７には、設定項目＃１〜＃６、＃８が順に格納されている。そして、図１２（Ｂ）に示すように、表示部１０７には、アドレスＡ１〜Ａ７に対応する領域にアドレスＡ１〜Ａ７に格納された設定項目＃１〜＃６、＃８が表示されている。
図１２（Ｃ）に示すように、アドレスＢ１〜Ｂ１３の下位アドレスＢ１〜Ｂ６には、設定項目＃７、＃９〜＃１３が格納されている。そして、アドレスＢ１〜Ｂ１３の上位アドレスＢ７〜Ｂ１３には、第１タブ３Ａの設定項目＃１〜＃６、＃８が優先度の順に格納されている。そして、図１２（Ｄ）に示すように、表示部１０７には、アドレスＢ１〜Ｂ６に対応する設定項目＃７、＃９〜＃１３が表示され、アドレスＢ７〜Ｂ１３に対応する設定項目＃２、＃５、＃３、＃６、＃１、＃４、＃８はスクロールすることで表示される。
【００５５】
上記において、記憶部１０５の第１タブ３Ａにおける設定項目を格納する設定項目記憶領域には、設定項目が格納されていない領域がある場合を説明した。次に、第１タブ３Ａにおける設定項目を格納する設定項目記憶領域には、設定項目が格納されていない領域がない場合を説明する。
【００５６】
図１３は、記憶部１０５の設定項目記憶領域に格納された第１タブ３Ａにおける設定項目及び第２タブ３Ｂにおける設定項目と、表示部１０７に表示された第１タブ３Ａにおける設定項目及び第２タブ３Ｂにおける設定項目との関係の他の一例を示す図である。図１３（Ａ）は、記憶部１０５の設定項目記憶領域に格納された第１タブ３Ａにおける設定項目、図１３（Ｂ）は、表示部１０７に表示された第１タブ３Ａにおける設定項目、図１３（Ｃ）は、設定項目記憶領域に格納された第２タブ３Ｂにおける設定項目、図１３（Ｄ）は、表示部１０７に表示される第２タブ３Ｂにおける設定項目である。
【００５７】
図１３（Ａ）に示すように、記憶部１０５の設定項目記憶領域において、第１タブ３Ａにおける設定項目が格納されるアドレスＡ１〜Ａ７には、設定項目＃１〜＃６、＃１３が格納されている。そして、図１３（Ｂ）に示すように、表示部１０７において、表示される領域に、アドレスＡ１〜Ａ７に対応して設定項目＃１〜＃６、＃１３が表示されている。
第１タブ３Ａの表示画面における設定項目は７個であるとしているので、空欄がない。
【００５８】
一方、アドレスＢ１〜Ｂ１３の下位アドレスＢ１〜Ｂ６には、設定項目＃７〜＃９、＃１１、＃１２が格納されている。アドレスＢ１〜Ｂ１３の上位アドレスＢ７〜Ｂ１３には、第１タブ３Ａの表示画面における設定項目＃１〜＃６、＃１３が優先度の順に格納されている。そして、図１３（Ｄ）に示すように、表示部１０７には、アドレスＢ１〜Ｂ６に対応する設定項目＃７〜＃１２が表示され、アドレスＢ７〜Ｂ１３に対応する設定項目＃２、＃５、＃３、＃６、＃１、＃４、＃１３はスクロールすることで表示される。
【００５９】
ここで、第２タブ３Ｂにおける設定項目＃８（「濃度」）を、第１タブ３Ａの表示画面に移動することを考える。
このとき、ユーザは、第２タブ３Ｂにおける設定項目が表示されている表示部１０７において、設定項目＃８を選択して、第１タブ３Ａにドラッグアンドドロップする。
しかし、第１タブ３Ａの表示画面には既に７個の設定項目が設けられているので、新たに設定項目を設けることができない。そこで、アドレスＡ１〜Ａ７に格納されている第１タブ３Ａの設定項目のうち、最も優先度が低い設定項目＃１３が削除される。そして、アドレス＃７に、設定項目＃８がコピーされるように、第１タブ３Ａにおける設定項目＃１〜＃６、＃８を配列した第１データが作成される。そして、この第１データがアドレスＡ１〜Ａ７に格納され、第１タブ３Ａの表示画面が作成される。そして、表示部１０７には、設定項目＃１〜＃６、＃８が表示される（図１２（Ａ）、（Ｂ）参照）。
【００６０】
さらに、第１タブ３Ａにおける設定項目＃１〜＃６、＃８が並べられた第１データが優先度に基づいてソートされ、優先度の順に並べられた第２データが作成される。さらに、すべての設定項目から第１タブ３Ａにおける設定項目＃１〜＃６、＃８を除いた設定項目＃７、＃９〜＃１３が並べられた第３データが作成される。
そして、第３データと第３データに続いて第２データが並べられた第４データが形成され、この第４データがアドレスＢ１〜Ｂ１３に格納され、第２タブ３Ｂの表示画面が作成される。そして、表示部１０７には、アドレスＢ１〜Ｂ６に対応する設定項目＃７、＃９〜＃１３が表示され、アドレスＢ７〜Ｂ１３に対応する設定項目＃１〜＃６、＃８はスクロールすることで表示される（図１２（Ｃ）、（Ｄ）参照）。
この結果は、図１２で示したと同じである。よって、説明を省略する。
【００６１】
次に、上記で説明した第１タブ３Ａ及び第２タブ３Ｂにおける設定項目を変更する方法をフローチャートで説明する。
図１４は、第１タブ３Ａ及び第２タブ３Ｂにおける設定項目を変更する方法を説明するフローチャートである。
ここでは、優先度設定手段、切替手段、変更手段の一例としての制御部１００のＣＰＵ１０２によって、設定項目の配置が制御されるとする。
まず、第２タブ３Ｂにおける設定項目が表示されている表示部１０７において、ユーザによって選択された設定項目が第１タブ３Ａにドラッグアンドドロップされたとする。このとき、制御部１００のＣＰＵ１０２によって、表示部１０７からのドラッグアンドドロップされたことを通知する信号に基づいて、選択された設定項目が識別される（ステップ１１、図１４ではＳ１１と表記する。以下同様。）（識別機能）。
【００６２】
次に、制御部１００のＣＰＵ１０２によって、第１タブ３Ａにおける設定項目に対応する記憶部１０５の設定項目記憶領域（図１１（Ａ）、図１３（Ａ））を参照して、第１タブ３Ａの表示画面において表示されている設定項目の数が上限値Ｓ（図１１、１３では７個）に達しているか否かが判断される（ステップ１２）。ステップ１２において、肯定（Ｙｅｓ）の判断がされた場合については後述する。
【００６３】
ステップ１２において、否定（Ｎｏ）の判断がされた場合、すなわち、第１タブ３Ａの表示画面における設定項目の数が上限値Ｓに達していない場合には、選択された設定項目を第１タブ３Ａにおける設定項目に追加する。すなわち、対応する設定項目記憶領域において、設定項目が記憶されていないアドレスに選択された設定項目を格納し、第１タブ３Ａにおける設定項目とする（ステップ１３）。次いで、第２タブ３Ｂにおける設定項目の表示順を変更して、第２タブ３Ｂにおける設定項目とする（ステップ１４）。なお、第２タブ３Ｂにおける設定項目の表示順を変更する方法についてのフローチャートは後述する。
【００６４】
そして、制御部１００のＣＰＵ１０２によって、第１タブ３Ａの設定項目及び第２タブ３Ｂの設定項目のデータ（第１データ及び第４データ）が記憶部１０５に保存される（ステップ１５）。第１タブ３Ａの設定項目及び第２タブ３Ｂの設定項目のデータ（第１データ及び第４データ）が記憶部１０５に保存されることで、画像形成装置１０を次回に立ち上げた際に、保存されたデータ（第１データ及び第４データ）が読み出されて、第１タブ３Ａの表示画面及び第２タブ３Ｂの表示画面が作成される（作成機能）。
なお、記憶部１０５に設定項目のデータを保存するか否かは、ユーザの選択によって行ってもよい。
【００６５】
さて、ステップ１２において、肯定（Ｙｅｓ）の判断がされた場合、すなわち、第１タブ３Ａにおける設定項目の数が上限値Ｓに達している場合には、第２タブ３Ｂにおける設定項目において選択された設定項目が、第１タブ３Ａにおける設定項目のうち優先度の低い設定項目と入れ替えられる（ステップ１６）。
そして、ステップ１４、ステップ１５が実行される。
【００６６】
次に、第２タブ３Ｂの表示画面における設定項目の表示順を変更する方法のフローチャートを説明する。
図１５は、第２タブ３Ｂの表示画面における設定項目の表示順を変更する方法を説明するフローチャートである。
第１タブ３Ａにおける設定項目が並べられた第１データが作成される（ステップ２１）。第１データに基づいて、第１タブ３Ａの表示画面が作成される。
次に、第１データにおける設定項目を優先度でソートして、設定項目を優先度の順に配列した第２データが作成される（ステップ２２）。
【００６７】
そして、すべての設定項目から、第１タブ３Ａにおける設定項目を除いた設定項目を配列した第３データが作成される（ステップ２３）。
【００６８】
そして、第３データと第３データに続いて第２データを配列した第４データが作成される（ステップ２４）。
第４データに基づいて、第２タブ３Ｂの表示画面が作成される。
【００６９】
以上説明したように、本実施形態では、設定項目を２つの画面、すなわち第１タブ３Ａの表示画面における設定項目と、第２タブ３Ｂの表示画面における設定項目とに分けている。
そして、表示部１０７に第１タブ３Ａにおける設定項目を表示する場合には、スクロールすることなく（画像を動かすことなく）設定項目を視認できるようになっている。一方、表示部１０７に第２タブ３Ｂにおける設定項目を表示する場合には、スクロールすることによって（画像を動かすことにより）設定項目を視認するようになっている。
【００７０】
さらに、第２タブ３Ｂにおける設定項目が表示部１０７に表示されている際に、ユーザによって選択された設定項目を第１タブ３Ａにおける設定項目にすることができる。すなわち、カスタマイズできる。これにより、ユーザは設定項目を分類することができる。
また、第２タブ３Ｂにおける設定項目を第１タブ３Ａにおける設定項目とした場合で、その設定項目が第１タブ３Ａの表示画面から第２タブ３Ｂの表示画面に切り替えられた際に視認できる位置に配置されていた設定項目だった場合には、視認できない位置に配置の位置が変更され、それ以外の設定項目が視認できる位置に配置されるようになる。また、ユーザは第２タブ３Ｂ内の設定項目の順序を変更することも可能である。
【００７１】
さらにまた、第１タブ３Ａにおける設定項目を、第２タブ３Ｂにおける設定項目より大きく表示することが好ましい。これにより、頻繁に利用する設定項目である第１タブ３Ａにおける設定項目がより視認しやすい。
【００７２】
さらに、第１タブ３Ａにおける設定項目及び第２タブ３Ｂにおける設定項目は、ユーザ毎に保存できる。よって、ユーザは、画像形成装置１０に固定されて配置された設定項目や、他人が配置した設定項目により条件を設定することを要しない。
すなわち、ユーザは、ユーザの必要に応じて、第１タブ３Ａにおける設定項目及び第２タブ３Ｂにおける設定項目を選択できるので、画像形成装置１０の操作がより容易になる。
【００７３】
そして、第１タブ３Ａにおける設定項目は、ユーザによって削除されてもよい。例えば、ユーザによって選択されて、第２タブ３Ｂにドラッグアンドドロップされるようにしてもよい。
【００７４】
図１１（Ｃ）では、第２タブ３Ｂにおける設定項目は、すべての設定項目とした。この場合、第２タブ３Ｂの表示画面に設けられた設定項目だけで、すべての設定項目を設定できる。
一方、第２タブ３Ｂにおける設定項目を、すべての設定項目から第１タブ３Ａにおける設定項目を除いた設定項目としてもよい。この場合、第２タブ３Ｂの表示画面に設けられる設定項目の数を少なくすることができる。
そして、起動した際に、予め定められた設定により、第１タブ３Ａの表示画面が最初に現れるようにしてもよく、第２タブ３Ｂの表示画面が最初に現れるようにしてもよい。
【００７５】
以下では、第２タブ３Ｂにおける設定項目を、すべての設定項目から第１タブ３Ａにおける設定項目を除いた設定項目とした場合を説明する。
図１６は、記憶部１０５の設定項目記憶領域に格納された第１タブ３Ａにおける設定項目及び第２タブ３Ｂにおける設定項目と、表示部１０７に表示された第１タブ３Ａにおける設定項目及び第２タブ３Ｂにおける設定項目との関係のさらに他の一例を示す図である。図１６（Ａ）は、記憶部１０５の設定項目記憶領域に格納された第１タブ３Ａにおける設定項目、図１６（Ｂ）は、表示部１０７に表示された第１タブ３Ａにおける設定項目、図１６（Ｃ）は、設定項目記憶領域に格納された第２タブ３Ｂにおける設定項目、図１６（Ｄ）は、表示部１０７に表示される第２タブ３Ｂにおける設定項目である。
【００７６】
図１６（Ａ）に示すように、記憶部１０５の設定項目記憶領域のアドレスＡ１〜Ａ６には、設定項目＃１〜＃６が格納されている。しかし、アドレスＡ７には、設定項目が格納されていない。図１６（Ｂ）に示すように、第１タブ３Ａの表示画面において設定項目が表示される領域に、アドレスＡ１〜Ａ６に対応して、設定項目＃１〜＃６が表示されている。しかし、図１６（Ａ）に示したように、アドレスＡ７には、設定項目が格納されていないため、第１タブ３Ａの表示画面におけるアドレスＡ７に対応する領域は空欄となっている。
【００７７】
図１６（Ｃ）に示すように、アドレスＢ１〜Ｂ７には、１３個の設定項目の内、第１タブ３Ａにおける設定項目＃１〜＃６を除く、設定項目＃７〜＃１３が格納されている。なお、設定項目＃７〜＃１３は、優先度の順にソートされていないが、優先度の順に格納されてもよい。
そして、図１６（Ｄ）に示すように、第２タブ３Ｂの表示画面には、アドレスＢ１〜Ｂ７の設定項目＃７〜＃１３が表示される。なお、表示部１０７には、アドレスＢ１〜Ｂ６の設定項目＃７〜＃１２が表示され、アドレスＢ７の設定項目＃１３は第２タブ３Ｂの表示画面をスクロールすることで表示される。
なお、ここでは、設定項目を１３個とし、第１タブ３Ａにおける設定項目の数を７個として説明するが、第２タブ３Ｂにおける設定項目の数は、第１タブ１３Ａの設定項目の数より大きいとする。すなわち、ここで例示する１３個の設定項目は、設定項目の一部であって、第１タブ３Ａにおける７個の設定項目を引いた第２タブ３Ｂにおける設定項目は７個より多いとする。
【００７８】
ここで、第２タブ３Ｂにおける設定項目＃８（「濃度」）を、第１タブ３Ａの設定項目とするように変更することを考える。
このとき、ユーザは、第２タブ３Ｂの表示画面において、設定項目＃８を選択して、第１タブ３Ａにドラッグアンドドロップする。
すると、設定項目＃８は、設定項目が格納されていなかったアドレスＡ７に格納されるように、第１タブ３Ａにおける設定項目＃１〜＃６、＃８を配列した第１データが作成される。そして、第１データに基づいて、アドレスＡ１〜Ａ７に設定項目＃１〜＃６、＃８が格納され、第１タブ３Ａの表示画面が作成される。そして、表示部１０７に設定項目＃１〜＃６、＃８が表示される（後述する図１７（Ａ）、（Ｂ）参照）。
【００７９】
さらに、第２タブ３Ｂにおける設定項目＃７、＃９〜＃１３を配列した第３データが作成される。そして、第３データに基づいて、アドレスＢ１〜Ｂ６に設定項目＃７、＃９〜＃１３が格納され、第２タブ３Ｂの表示画面が作成される。そして、表示部１０７に設定項目＃７、＃９〜＃１３が表示される（後述する図１７（Ｃ）、（Ｄ）参照）。
なお、第３データは、図１１において説明した第３データ（すべての設定項目から、第１タブ３Ａにおける設定項目を除いた設定項目）と同じであるので、第３データと表記する。
【００８０】
図１７は、変更された後における記憶部１０５の設定項目記憶領域に格納された第１タブ３Ａにおける設定項目及び第２タブ３Ｂにおける設定項目と、表示部１０７に表示された第１タブ３Ａにおける設定項目及び第２タブ３Ｂにおける設定項目との関係の一例を示す図である。図１７（Ａ）は、記憶部１０５の設定項目記憶領域に格納された第１タブ３Ａにおける設定項目、図１７（Ｂ）は、表示部１０７に表示された第１タブ３Ａにおける設定項目、図１７（Ｃ）は、設定項目記憶領域に格納された第２タブ３Ｂにおける設定項目、図１７（Ｄ）は、表示部１０７に表示される第２タブ３Ｂにおける設定項目である。
【００８１】
図１７（Ａ）に示すように、アドレスＡ１〜Ａ７には、設定項目＃１〜＃６、＃８が格納され、図１７（Ｂ）に示すように、表示部１０７には、アドレスＡ１〜Ａ７対応する設定項目＃１〜＃６、＃８が表示されている。
図１７（Ｃ）に示すように、アドレスＢ１〜Ｂ６には、設定項目＃７、＃９〜＃１３が格納され、図１７（Ｄ）に示すように、表示部１０７には、アドレスＢ１〜Ｂ６に対応する設定項目＃７、＃９〜＃１３が表示されている。表示部１０７において隠れている設定項目は、第２タブ３Ｂの表示画面をスクロールすることで表示される。
【００８２】
上記において、第１タブ３Ａにおける設定項目に設定項目が格納されていないアドレスがある場合を説明した。次に、第１タブ３Ａにおける設定項目に設定項目が格納されていないアドレスがない場合を説明する。
【００８３】
図１８は、記憶部１０５の設定項目記憶領域に格納された第１タブ３Ａにおける設定項目及び第２タブ３Ｂにおける設定項目と、表示部１０７に表示される第１タブ３Ａにおける設定項目及び第２タブ３Ｂにおける設定項目との関係のさらに他の一例を示す図である。図１８（Ａ）は、記憶部１０５の設定項目記憶領域に格納された第１タブ３Ａにおける設定項目、図１８（Ｂ）は、表示部１０７に表示された第１タブ３Ａにおける設定項目、図１８（Ｃ）は、設定項目記憶領域に格納された第２タブ３Ｂにおける設定項目、図１８（Ｄ）は、表示部１０７に表示される第２タブ３Ｂにおける設定項目である。
【００８４】
図１８（Ａ）に示すように、アドレスＡ１〜Ａ７には、設定項目＃１〜＃６、＃１３が格納され、図１３（Ｂ）に示すように、表示部１０７には、アドレスＡ１〜Ａ７に対応する設定項目＃１〜＃６、＃１３が表示され、空欄がない。
【００８５】
図１８（Ｃ）に示すように、アドレスＢ１〜Ｂ６には、設定項目＃７〜＃１２が格納され、図１８（Ｄ）に示すように、表示部１０７には、アドレスＢ１〜Ｂ６に対応する設定項目＃７〜＃１２が表示されている。
【００８６】
ここで、第２タブ３Ｂにおける設定項目＃８（「濃度」）を、第１タブ３Ａの表示画面に移動することを考える。
このとき、ユーザは、第２タブ３Ｂの表示画面において、設定項目＃８を選択して、第１タブ３Ａにドラッグアンドドロップする。
しかし、第１タブ３Ａの表示画面には、上限値Ｓである７個の設定項目が設けられている。そこで、アドレスＡ１〜Ａ７に格納されている第１タブ３Ａにおける設定項目のうち、最も優先度が低い設定項目＃１３が、第２タブ３Ｂにおける設定項目＃８と入れ替えられる（後述する図１９（Ａ）、（Ｃ）参照）。
そして、第１タブ３Ａにおける設定項目＃１〜＃６、＃８を配列した第１データが作成される。そして、第１データに基づいて、アドレスＡ１〜Ａ７に設定項目＃１〜＃６、＃８が格納され、第１タブ３Ａの表示画面が作成される。そして、表示部１０７に設定項目＃１〜＃６、＃８が表示される（（後述する図１９（Ａ）、（Ｂ）参照）。
【００８７】
さらに、第２タブ３Ｂにおける設定項目＃７、＃１３、＃９〜＃１２を配列した第３データが作成される。そして、第３データに基づいて、アドレスＢ１〜Ｂ６に設定項目＃７、＃１３、＃９〜＃１２が格納され、第２タブ３Ｂの表示画面が作成される。そして、表示部１０７に設定項目＃７、＃１３、＃９〜＃１２が表示される（後述する図１９（Ｃ）、（Ｄ）参照）。
【００８８】
図１９は、変更された後における記憶部１０５に設定項目記憶領域に格納された第１タブ３Ａにおける設定項目及び第２タブ３Ｂにおける設定項目と、表示部１０７に表示された第１タブ３Ａにおける設定項目及び第２タブ３Ｂにおける設定項目との関係のさらに他の一例を示す図である。図１９（Ａ）は、記憶部１０５の設定項目記憶領域に格納された第１タブ３Ａにおける設定項目、図１９（Ｂ）は、表示部１０７に表示された第１タブ３Ａにおける設定項目、図１９（Ｃ）は、設定項目記憶領域に格納された第２タブ３Ｂにおける設定項目、図１９（Ｄ）は、表示部１０７に表示された第２タブ３Ｂにおける設定項目である。
【００８９】
図１９（Ａ）に示すように、アドレスＡ１〜Ａ７には、設定項目＃１〜＃６、＃８が格納され、図１９（Ｂ）に示すように、表示部１０７には、アドレスＡ１〜Ａ７に対応する設定項目＃１〜＃６、＃８が表示されている。
図１９（Ｃ）に示すように、アドレスＢ１〜Ｂ６には、設定項目＃７、＃１３、＃９〜＃１２が格納され、図１９（Ｄ）に示すように、表示部１０７には、アドレスＢ１〜Ｂ６に対応する設定項目＃７、＃１３、＃９〜＃１２が表示されている。表示部１０７において隠れている設定項目は、第２タブ３Ｂの表示画面をスクロールすることで表示される。
【００９０】
次に、上記で説明した第２タブ３Ｂにおける設定項目を、すべての設定項目から第１タブ３Ａにおける設定項目を除いた設定項目とした場合において、第１タブ３Ａ及び第２タブ３Ｂにおける設定項目を変更する方法をフローチャートで説明する。
図２０は、第１タブ３Ａ及び第２タブ３Ｂにおける設定項目を変更する他の方法を説明するフローチャートである。図１４で示したフローチャートと同じ部分は同じ符号を付して、説明を省略する。また、図２０に示すフローチャートには、図１５に示したステップを含めて示している。
【００９１】
ここでは、図１４のステップ１４がステップ１４´になり、ステップ１５がステップ３１〜ステップ３３に置き換えられている。そして、ステップ１６が実行された後は、ステップ３１に移行する。
すなわち、ステップ１２において、否定（Ｎｏ）の判断がされた場合、すなわち、第１タブ３Ａの表示画面において表示される設定項目の数が上限値Ｓに達していない場合には、選択された設定項目を第１タブ３Ａにおける設定項目に追加する。すなわち、対応する設定項目記憶領域において、設定項目が記憶されていないアドレスに選択された設定項目を格納し、第１タブ３Ａにおける設定項目とする（ステップ１３）。
そして、第２タブ３Ｂにおける設定項目から選択された設定項目を削除して、第２タブ３Ｂにおける設定項目とする（ステップ１４´）。
【００９２】
そして、第１タブ３Ａのおける設定項目が並べられた第１データが作成される（ステップ３１）。
そして、第２タブ３Ｂにおける設定項目が並べられた第３データが作成される（ステップ３２）。第３データは、図１５のステップ２３で作成される第３データ（すべての設定項目から、第１タブ３Ａにおける設定項目を除いた設定項目）と同じであるので、第３データと表記する。
そして、第１タブ３Ａにおける設定項目及び第２タブ３Ｂにおける設定項目のデータ（第１データ及び第３データ）が記憶部１０５に保存される（ステップ３３）。
【００９３】
そして、第１タブ３Ａにおける設定項目は、ユーザによって第２タブ３Ｂにおける設定項目に移動されてもよい。例えば、ユーザによって選択されて、第２タブ３Ｂにドラッグアンドドロップされるようにしてもよい。
【００９４】
なお、上記では、すべての設定項目が１３個であるとして説明したが、１３個に限定されない。また、第１タブ３Ａにおける設定項目の上限値Ｓも７個に限定されない。
【００９５】
上記において、優先度は、予め定められた期間において、ユーザによりそれぞれの設定項目の設定が変更された回数（頻度）であってもよく、ユーザの業務にそれぞれの設定項目が反映された回数であってもよい。さらに、ユーザによりそれぞれの設定項目について優先度を指定できるようになっていてもよい。すなわち、優先度は時間の経過にしたがって、変化してもよい。
【００９６】
また、図１４及び図２０のステップ１６での第１タブ３Ａの設定項目を第２タブ３Ｂにおいて選択された設定項目と入れ替える際に、第１タブ３Ａの表示画面から削除する設定項目を優先度によって決めたが、ユーザが削除する設定項目を指定してもよい。例えば第１タブ３Ａの表示画面に移って、ユーザがタッチすることで指定するようにしてもよい。
【００９７】
また、図１５のステップ２３、図２０のステップ３２において作成される第３データは、優先度によりソートされていない。しかし、優先度でソートし、優先度の順又は逆順に並べて第３データとしてもよい。
同様に、第１データに基づいて作成される第１タブ３Ａの表示画面を、第１データを優先度の順又は逆順でソートしたデータに基づいて作成してもよい。
【００９８】
以上においては、画像形成装置１０における「コピー」機能を例として説明した。他の機能においても、上記の構成が適用できる。例えば、「ボックス保存」機能において、図５に示した第１タブ５Ａの表示画面におけるユーザ名が付された選択用ボタン２１と合わせて表示された「カラーモード」、「両面原稿送り」、「読み取り解像度」の設定項目を、図６に示した第２タブ５Ｂの表示画面における「ファイル名」、「原稿セット向き」、「濃度」などの設定項目と変更できる。
【符号の説明】
【００９９】
１０…画像形成装置、２１…選択用ボタン、１００…制御部、１０１…バス、１０２…ＣＰＵ、１０３…ＲＯＭ、１０４…ＲＡＭ、１０５…記憶部、１０７…表示部、１０８…画像読取部、１０９…画像形成部、１１０…通信部、１１１…画像処理部、３Ａ、５Ａ…第１タブ、３Ｂ、５Ｂ…第２タブ
【図１】
2015036971.tif 000003
【図２】
2015036971.tif 000004
【図３】
2015036971.tif 000005
【図４】
2015036971.tif 000006
【図５】
2015036971.tif 000007
【図６】
2015036971.tif 000008
【図７】
2015036971.tif 000009
【図８】
2015036971.tif 000010
【図９】
2015036971.tif 000011
【図１０】
2015036971.tif 000012
【図１１】
2015036971.tif 000013
【図１２】
2015036971.tif 000014
【図１３】
2015036971.tif 000015
【図１４】
2015036971.tif 000016
【図１５】
2015036971.tif 000017
【図１６】
2015036971.tif 000018
【図１７】
2015036971.tif 000019
【図１８】
2015036971.tif 000020
【図１９】
2015036971.tif 000021
【図２０】
2015036971.tif 000022
【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
画像形成のための所定の処理を実行する処理手段と、
前記処理手段の処理条件を設定する項目をＱ個表示する第１画面と当該Ｑ個よりも多いＲ個の項目を表示する第２画面とを表示する表示手段と、を有し、
前記第１及び第２画面とで前記処理条件の全ての項目を設定でき、
前記第１画面はＱ個全てを一度に表示し、前記第２画面はＲ個の一部を一度に表示し残りを画像の移動により表示することを特徴とする画像形成装置。
【請求項２】
前記第１画面に表示される項目は、前記第２画面に表示する項目に比べて大きく表示することを特徴とする請求項１に記載の画像形成装置。
【請求項３】
前記第２画面に表示する項目は、前記第１画面に表示する項目を除く項目が、優先的に表示する位置に配置することを特徴とする請求項１に記載の画像形成装置。
【請求項４】
前記第２画面に表示する項目の内、前記第１画面に表示する項目に含まれない項目を当該第１画面に表示するよう選択させる選択手段と、
選択された前記項目を前記第１画面に表示するように当該第１画面を変更する変更手段と
をさらに備えることを特徴とする請求項１に記載の画像形成装置。
【請求項５】
前記変更手段は、前記第１画面を変更する際に、前記Ｑ個の数が予め定められた数未満である場合は、選択された前記項目を当該第１画面に表示する項目に加えることを特徴とする請求項４に記載の画像形成装置。
【請求項６】
前記変更手段は、前記第１画面を変更する際に、前記Ｑ個の数が予め定められた数以上である場合は、選択された前記項目と当該第１画面に表示していたＱ個の項目の一つとを入れ替えることを特徴とする請求項４又は５に記載の画像形成装置。
【請求項７】
前記項目に対して優先度を設定する優先度設定手段をさらに備え、
前記変更手段が前記第１画面を変更する際に、選択された前記項目と入れ替えられる前記第１画面に表示していた項目は、前記優先度が低いものであることを特徴とする請求項６に記載の画像形成装置。
【請求項８】
前記第１画面は、読み取られた画像データの保存先を選択する際に用いられる選択用画像を含むことを特徴とする請求項１に記載の画像形成装置。
【請求項９】
所定の処理を実行する処理手段と、
前記処理手段の処理条件を設定する項目をＱ個表示する第１画面と当該Ｑ個よりも多いＲ個の項目を表示する第２画面とを表示する表示手段と、を有し、
前記第１及び第２画面とで前記処理条件の全ての項目を設定でき、
前記第１画面はＱ個全てを一度に表示し、前記第２画面はＲ個の一部を一度に表示し残りを画像の移動により表示することを特徴とする処理装置。
【請求項１０】
前記第１画面に表示される項目は、前記第２画面に表示する項目に比べて大きく表示することを特徴とする請求項９に記載の処理装置。
【請求項１１】
前記第２画面に表示する項目は、前記第１画面に表示する項目を除く項目が、優先的に表示する位置に配置することを特徴とする請求項９に記載の処理装置。
【請求項１２】
前記第２画面に表示する項目の内、前記第１画面に表示する項目に含まれない項目を当該第１画面に表示するよう選択させる選択手段と、
選択された前記項目を前記第１画面に表示するように当該第１画面を変更する変更手段と
をさらに備えることを特徴とする請求項９に記載の処理装置。
【請求項１３】
前記変更手段は、前記第１画面を変更する際に、前記Ｑ個の数が予め定められた数未満である場合は、選択された前記項目を当該第１画面に表示する項目に加えることを特徴とする請求項１２に記載の処理装置。
【請求項１４】
前記変更手段は、前記第１画面を変更する際に、前記Ｑ個の数が予め定められた数以上である場合は、選択された前記項目と当該第１画面に表示していたＱ個の項目の一つとを入れ替えることを特徴とする請求項１２又は１３に記載の処理装置。
【請求項１５】
前記項目に対して優先度を設定する優先度設定手段をさらに備え、
前記変更手段が前記第１画面を変更する際に、選択された前記項目と入れ替えられる前記第１画面に表示していた項目は、前記優先度が低いものであることを特徴とする請求項１４に記載の処理装置。
【請求項１６】
コンピュータに、
所定の処理を実行する処理機能と、
前記処理機能の処理条件を設定する項目をＱ個表示する第１画面と当該Ｑ個よりも多いＲ個の項目を表示する第２画面とを表示する表示機能と、を実現させ、
前記第１及び第２画面とで前記処理条件の全ての項目を設定でき、
前記第１画面はＱ個全てを一度に表示し、前記第２画面はＲ個の一部を一度に表示し残りを画像の移動により表示することを特徴とするプログラム。
【請求項１７】
表示される前記第１画面と前記第２画面を切り替える切替機能と、
前記第２画面に表示する設定項目の内、前記第１画面に表示する設定項目に含まれない設定項目を当該第１画面に表示するように選択する選択機能と、
選択された前記設定項目を前記第１画面に表示するように当該第１画面を変更する変更機能と、をさらに備えることを特徴とする請求項１６に記載のプログラム。
【手続補正２】
【補正対象書類名】明細書
【補正対象項目名】０００５
【補正方法】変更
【補正の内容】
【０００５】
請求項１に記載の発明は、画像形成のための所定の処理を実行する処理手段と、前記処理手段の処理条件を設定する項目をＱ個表示する第１画面と当該Ｑ個よりも多いＲ個の項目を表示する第２画面とを表示する表示手段と、を有し、前記第１及び第２画面とで前記処理条件の全ての項目を設定でき、前記第１画面はＱ個全てを一度に表示し、前記第２画面はＲ個の一部を一度に表示し残りを画像の移動により表示することを特徴とする画像形成装置である。
請求項２に記載の発明は、前記第１画面に表示する項目は、前記第２画面に表示する項目に比べて大きく表示することを特徴とする請求項１に記載の画像形成装置である。
請求項３に記載の発明は、前記第２画面に表示する項目は、前記第１画面に表示する項目を除く項目が、優先的に表示する位置に配置することを特徴とする請求項１に記載の画像形成装置である。
請求項４に記載の発明は、前記第２画面に表示する項目の内、前記第１画面に表示する項目に含まれない項目を当該第１画面に表示するよう選択させる選択手段と、選択された前記項目を前記第１画面に表示するように当該第１画面を変更する変更手段とをさらに備えることを特徴とする請求項１に記載の画像形成装置である。
請求項５に記載の発明は、前記変更手段は、前記第１画面を変更する際に、前記Ｑ個の数が予め定められた数未満である場合は、選択された前記項目を当該第１画面に表示する項目に加えることを特徴とする請求項４に記載の画像形成装置である。
請求項６に記載の発明は、前記変更手段は、前記第１画面を変更する際に、前記Ｑ個の数が予め定められた数以上である場合は、選択された前記項目と当該第１画面に表示していたＱ個の項目の一つとを入れ替えることを特徴とする請求項４又は５に記載の画像形成装置である。
請求項７に記載の発明は、前記項目に対して優先度を設定する優先度設定手段をさらに備え、前記変更手段が前記第１画面を変更する際に、選択された前記項目と入れ替えられる前記第１画面に表示していた項目は、前記優先度が低いものであることを特徴とする請求項６に記載の画像形成装置である。
請求項８に記載の発明は、前記第１画面は、読み取られた画像データの保存先を選択する際に用いられる選択用画像を含むことを特徴とする請求項１に記載の画像形成装置である。
請求項９に記載の発明は、所定の処理を実行する処理手段と、前記処理手段の処理条件を設定する項目をＱ個表示する第１画面と当該Ｑ個よりも多いＲ個の項目を表示する第２画面とを表示する表示手段と、を有し、前記第１及び第２画面とで前記処理条件の全ての項目を設定でき、前記第１画面はＱ個全てを一度に表示し、前記第２画面はＲ個の一部を一度に表示し残りを画像の移動により表示することを特徴とする処理装置である。
請求項１０に記載の発明は、前記第１画面に表示される項目は、前記第２画面に表示する項目に比べて大きく表示することを特徴とする請求項９に記載の処理装置である。
請求項１１に記載の発明は、前記第２画面に表示する項目は、前記第１画面に表示する項目を除く項目が、優先的に表示する位置に配置することを特徴とする請求項９に記載の処理装置である。
請求項１２に記載の発明は、前記第２画面に表示する項目の内、前記第１画面に表示する項目に含まれない項目を当該第１画面に表示するよう選択させる選択手段と、選択された前記項目を前記第１画面に表示するように当該第１画面を変更する変更手段とをさらに備えることを特徴とする請求項９に記載の処理装置である。
請求項１３に記載の発明は、前記変更手段は、前記第１画面を変更する際に、前記Ｑ個の数が予め定められた数未満である場合は、選択された前記項目を当該第１画面に表示する項目に加えることを特徴とする請求項１２に記載の処理装置である。
請求項１４に記載の発明は、前記変更手段は、前記第１画面を変更する際に、前記Ｑ個の数が予め定められた数以上である場合は、選択された前記項目と当該第１画面に表示していたＱ個の項目の一つとを入れ替えることを特徴とする請求項１２又は１３に記載の処理装置である。
請求項１５に記載の発明は、前記項目に対して優先度を設定する優先度設定手段をさらに備え、前記変更手段が前記第１画面を変更する際に、選択された前記項目と入れ替えられる前記第１画面に表示していた項目は、前記優先度が低いものであることを特徴とする請求項１４に記載の処理装置である。
請求項１６に記載の発明は、コンピュータに、所定の処理を実行する処理機能と、前記処理機能の処理条件を設定する項目をＱ個表示する第１画面と当該Ｑ個よりも多いＲ個の項目を表示する第２画面とを表示する表示機能と、を実現させ、前記第１及び第２画面とで前記処理条件の全ての項目を設定でき、前記第１画面はＱ個全てを一度に表示し、前記第２画面はＲ個の一部を一度に表示し残りを画像の移動により表示することを特徴とするプログラムである。
請求項１７に記載の発明は、表示される前記第１画面と前記第２画面を切り替える切替機能と、前記第２画面に表示する設定項目の内、前記第１画面に表示する設定項目に含まれない設定項目を当該第１画面に表示するように選択する選択機能と、選択された前記設定項目を前記第１画面に表示するように当該第１画面を変更する変更機能と、をさらに備えることを特徴とする請求項１６に記載のプログラムである。
【手続補正３】
【補正対象書類名】明細書
【補正対象項目名】０００６
【補正方法】変更
【補正の内容】
【０００６】
請求項１の発明によれば、第１及び第２画面とで全ての項目を表示させる構成において第１画面でも項目の一部を一度に表示する場合に比べ、第１画面における視認性が向上する。
請求項２の発明によれば、第１画面に表示する項目と第２画面に表示する項目との大きさを同じにする場合に比べ、第１画面における視認性が向上する。
請求項３の発明によれば、第１画面で表示する項目を第２画面でも優先的に表示する場合に比べ、第２画面において第１画面で表示しない項目を見つけやすくなる。
請求項４の発明によれば、第１画面に表示する項目を変更することができる。
請求項５の発明によれば、第１画面に表示する項目数に上限を設けない場合に比べ、第１画面における視認性の低下を抑制することができる。
請求項６の発明によれば、第１画面に表示する項目数に上限を設けない場合に比べ、第１画面における視認性の低下を抑制することができる。
請求項７の発明によれば、第１画面に表示される項目に優先度を設定しない場合に比べ、優先度の高い項目が入れ替わることを抑制することができる。
請求項８の発明によれば、本構成を備えない場合に比べ、第１画面に複数の処理に対する項目を表示できる。
請求項９の発明によれば、第１及び第２画面とで全ての項目を表示させる構成において第１画面でも項目の一部を一度に表示する場合に比べ、第１画面における視認性が向上する。
請求項１０の発明によれば、第１画面に表示する項目と第２画面に表示する項目との大きさを同じにする場合に比べ、第１画面における視認性が向上する。
請求項１１の発明によれば、第１画面で表示する項目を第２画面でも優先的に表示する場合に比べ、第２画面において第１画面で表示しない項目を見つけやすくなる。
請求項１２の発明によれば、第１画面に表示する項目を変更することができる。
請求項１３の発明によれば、第１画面に表示する項目数に上限を設けない場合に比べ、第１画面における視認性の低下を抑制することができる。
請求項１４の発明によれば、第１画面に表示する項目数に上限を設けない場合に比べ、第１画面における視認性の低下を抑制することができる。
請求項１５の発明によれば、第１画面に表示される項目に優先度を設定しない場合に比べ、優先度の高い項目が入れ替わることを抑制することができる。
請求項１６の発明によれば、第１及び第２画面とで全ての項目を表示させる構成において第１画面でも項目の一部を一度に表示する場合に比べ、第１画面における視認性が向上する。
請求項１７の発明によれば、第１画面に表示する項目を変更することができる。